(57)【要約】【課題】観察者が所望する位置から球面形状のスクリーンに表示された画像を観察可能にする。【解決手段】画像表示装置は、半球状に形成された表示部材１２と、表示部材の外部から観察可能となるように投射画像を表示部材に投射する投射手段１３と、表示部材の外周の観察者を検出する検出手段１９２と、検出手段による前記観察者の検出結果に基づいて、投射手段により投射される投射画像の態様を制御する投射制御手段１１１、１９２とを備える。【選択図】図３
2012123252.tif 000002
【特許請求の範囲】
【請求項１】
半球状に形成された中空の表示部材と、
前記表示部材の外部から観察可能となるように投射画像を前記表示部材に投射する投射手段と、
前記表示部材の外部の観察者を検出する検出手段と、
前記検出手段による前記観察者の検出結果に基づいて、前記投射手段により投射される前記投射画像の態様を制御する投射制御手段とを備えることを特徴とする画像表示装置。
【請求項２】
請求項１に記載の画像表示装置において、
前記検出手段は、前記表示部材の外部に存在する前記観察者の位置を検出し、
前記投射制御手段は、前記検出手段により検出された前記観察者の位置に応じて、前記投射画像が前記表示部材上で投射される位置を制御することを特徴とする画像表示装置。
【請求項３】
請求項１または２に記載の画像表示装置において、
前記検出手段は、前記表示部材の外部に存在する前記観察者の人数を検出し、
前記検出手段により複数の前記観察者が検出された場合には、前記投射制御手段は、前記投射手段を制御して、前記観察者の人数に応じた前記表示部材の分割表示領域ごとに前記投射画像を投射させることを特徴とする画像表示装置。
【請求項４】
請求項３に記載の画像表示装置において、
前記検出手段により１人の前記観察者が検出された場合には、前記投射制御手段は、前記投射手段を制御して、前記１人の観察者と対向する前記表示部材上の位置を中心として前記投射画像を投射させることを特徴とする画像表示装置。
【請求項５】
請求項３または４に記載の画像表示装置において、
前記検出手段は、複数の前記観察者が検出された場合に、前記複数の観察者のそれぞれの相対位置を検出し、
前記相対位置が離れている場合には、前記投射制御手段は、前記投射手段を制御して、検出された前記複数の観察者のそれぞれに対向する前記表示部材上の位置を中心とした前記分割領域ごとに前記投射画像を投射させ、前記相対位置が近い場合には、前記投射制御手段は、前記投射手段を制御して、検出されたすべての前記観察者に対向する位置を中心として前記投射画像を投射させることを特徴とする画像表示装置。
【請求項６】
請求項１乃至５のいずれか一項に記載の画像表示装置において、
前記投射制御手段は、前記投射手段を制御して、複数の縮小画像が前記半球状の前記表示部材の外周面に沿って表示されるように前記投射画像を投射させることを特徴とする画像表示装置。
【請求項７】
請求項１乃至６のいずれか一項に記載の画像表示装置において、
前記検出手段は、撮影光学系および撮像素子を有する撮像手段によって構成されることを特徴とする画像表示装置。
【発明の詳細な説明】
【技術分野】
【０００１】
本発明は、画像表示装置に関する。
【背景技術】
【０００２】
従来から、球面形状のスクリーンを有する画像表示装置が知られている（たとえば特許文献１）。
【先行技術文献】
【特許文献】
【０００３】
【特許文献１】特許第３９２１２０５号公報
【発明の概要】
【発明が解決しようとする課題】
【０００４】
しかしながら、スクリーン上の固定点を基準として画像が全周囲表示されるので、固定点を基準として表示される画像の表示形態に合わせて観察者が最適な観察位置に移動する必要があり、観察者の観察位置選択の自由度が低下するという問題がある。
【課題を解決するための手段】
【０００５】
請求項１に記載の発明による画像表示装置は、半球状に形成された中空の表示部材と、表示部材の外部から観察可能となるように投射画像を表示部材に投射する投射手段と、表示部材の外部の観察者を検出する検出手段と、検出手段による観察者の検出結果に基づいて、投射手段により投射される投射画像の態様を制御する投射制御手段とを備えることを特徴とする。
【発明の効果】
【０００６】
本発明によれば、観察者の検出結果に基づいて、投射手段が表示部材に向けて投射する画像の態様を制御することができる。
【図面の簡単な説明】
【０００７】
【図１】本発明の実施の形態における画像表示装置の外観斜視図
【図２】画像表示装置の図１におけるＡ−Ａ断面図
【図３】画像表示装置の要部構成を示すブロック図
【図４】画像撮像部により撮影される画像の一例を示す図
【図５】画像表示装置にサムネイル画像を表示した場合を例示する図
【図６】観察者が１人の場合に画像撮像部により撮影される画像を例示する図
【図７】観察者が１人の場合での画像表示を例示する図
【図８】２人の観察者が隣接する場合の処理を説明する図
【図９】２人の観察者が離れて存在する場合の処理を説明する図
【図１０】領域設定処理を説明する図
【図１１】観察者が３人の場合の画像表示を例示する図
【発明を実施するための形態】
【０００８】
図面を参照して、一実施の形態による画像表示装置について説明する。本実施の形態の画像表示装置は、外部から画像表示装置を観察する観察者の位置や人数に応じて、３６０度の画像表示が可能なスクリーン上で画像を表示する位置や表示態様を変更可能に構成されている。
図１は実施の形態による画像表示装置１の外観斜視図、図２は画像表示装置１の図１におけるＡ−Ａ線断面図、図３は画像表示装置１の要部構成を示すブロック図である。図１において一点鎖線で示す矢印Ｓは、後述する観察者の検出処理や画像の表示処理の際に基準となる方位（基準方位）を示す。図１、図２に示すように、画像表示装置１は、ベース部材１１と、スクリーン１２と、画像投影部１３と、画像撮影部１４と  制御装置１５とを備える。画像投影部１３と制御装置１５とはベース部材１１の内部に設けられる。制御装置１５は、図３に示すように、制御回路１１１と、画像メモリ１１２と、外部インタフェース１１３と、カードインタフェース１１４とを備えている。
【０００９】
スクリーン１２は、たとえばアクリルやガラスや樹脂等の半透過型の材料によって半球面体で中空のドーム型形状に形成され、ベース部材１１上の面１１ａを覆うように配置される。スクリーン１２の外周面には後述するタッチパネル１２１（図３）が設けられ、観察者がスクリーン１２上のタッチパネル１２１を押圧することにより所望する操作が可能となるように構成されている。なお、タッチパネル１２１とベース部材１１の内部に設けられた制御装置１５とを結ぶケーブルは、スクリーン１２とベース部材１１の面１１ａとの接合面からベース部材１１の内部に引き回される。その結果、後述する画像投影部１３による画像の投影の妨げとなることを防いでいる。
【００１０】
画像投影部１３は、ベース部材１１の内部であって、スクリーン１２の半球面体の中心軸上付近に配置される。画像投影部１３は、スクリーン１２の内側の全周面に向けて画像を投影するプロジェクタである。スクリーン１２は上述した用に半透過型の材料により形成されるので、画像投影部１３からスクリーン１２の内側の周面に投影された画像は、画像表示装置１の外部から観察者によって観察可能にスクリーン１２上に表示される。なお、画像投影部１３の詳細については説明を後述する。
【００１１】
画像撮影部１４は、画像表示装置１の外部を全方位（水平方向に３６０度）撮影可能な光学系、たとえばＰＡＬ（Panoramic Annual Lens）を備える小型カメラであり、スクリーン１２の半球面体の頂部に設けられる。画像撮影部１４は上述したＰＡＬを備えることにより、画像投影部１３からスクリーン１２へ画像を投影する際に画像投影をほぼ妨げることが無い程に小型に構成されている。画像撮影部１４への電力供給および画像撮影部１４からの画像信号の送信を行うためのケーブル１４０（図２）として、画像投影部１３によるスクリーン１２への画像投影の妨げにならない程度に細いケーブルを用いる。なお、ケーブル１４０を用いて画像信号を制御装置１５へ送信するものに代えて、無線通信により画像信号を制御装置１５へ送信してもよい。
【００１２】
以下、画像撮影部１４について詳細に説明する。図２に示すように、画像撮影部１４は、ＰＡＬレンズ１４１と、撮影レンズ１４２と、撮像素子１４３とを備える。なお、図２においては、説明の都合上、画像撮影部１４を実際よりも大きく描いている。ＰＡＬレンズ１４１は、たる型の透明体からなり、一点鎖線で示す軸線Ｚのまわりに凸形状に形成された外周面１４１ａと、上端面１４１ｂと下端面１４１ｃとを有している。上端面１４１ｂは凹状の湾曲面で、透明体内を通過してこの到達する光に対しては凸形状の反射面として作用する。下端面１４１ｃは軸線Ｚと垂直な平面で、透明体内を通過してこの面に到達する光に対してレンズ面（屈折面）として作用する。
【００１３】
外周面１４１ａは軸線Ｚと垂直な平面によって、上方外周面１４１ａ１と下方外周周面１４１ａ２とに分割され、下方外周面１４１ａ２は光が入射しないように円筒状のケースで覆われている。上方外周面１４１ａ１は周囲の３次元像が入射する面でレンズ面（屈折面）として作用し、下方外周面１４１ａ２は上方外周面１４１ａ１から入射し透明体内を通過してこの面に到達する光に対して凹面状の反射面として作用する。
【００１４】
上述した構造を有するＰＡＬレンズ１４１の周囲の３６０度の円筒空間Ｐの３次元像は、上方外周面１４１ａ１のなす空間角の幅で取り込まれる。上方外周面１４１ａ１を通ってＰＡＬレンズ１４１内に入射した光は、まず、対向する下方外周面１４１ａ２で反射して、次に上端面１４１ｂで反射して、下端面１４１ｃより射出される。このとき、下端面１４１ｃから射出された光束はＰＡＬレンズ１４１内に虚像を結ぶ。
【００１５】
撮影レンズ１４２は、たとえばリレーレンズにより構成され、後述するようにＰＡＬレンズ１４１により虚像を結んだ画像表示装置１の周囲の３６０度方向からの光束を正立像として撮像素子１４３に結像させる。撮像素子１４３は、たとえばＣＣＤやＣＭＯＳ等により構成され、ＰＡＬレンズ１４１および撮影レンズ１４２を介して撮像面に結像した像を撮像して、画像信号を後述する制御装置１５に出力する。撮像素子１４３からの画像信号は、上述したケーブル１４０により制御装置１５へ出力される。
【００１６】
次に、図３のブロック図を参照して、画像表示装置１の制御系について説明する。上述したように、制御装置１５は、制御回路１１１と、画像メモリ１１２と、外部インタフェース１１３と、カードインタフェース１１４と有している。制御回路１１１は、図示しないＣＰＵ、ＲＯＭ、ＲＡＭなどを有し、制御プログラムに基づいて、画像処理装置１の各構成要素を制御したり、各種のデータ処理を実行する演算回路である。制御プログラムは、制御回路１１１内の不図示の不揮発性メモリに格納されている。制御回路１１１は、画像撮影部１４および画像投影部１３の駆動を制御する。
【００１７】
制御回路１１１は、画像処理部１９１と、検出部１９２とを機能的に備える。画像処理部１９１は、画像撮影部１４から入力した画像信号に対して種々の画像処理を施して画像データを生成する。また、画像処理部１９１は、画像メモリ１１２に記録されている画像データに基づいて、画像投影部１３によりスクリーン１２に画像を投影するための投影画像データを生成する。検出部１９２は、画像処理部１９１により生成された画像データを用いて、公知の顔検出処理等により、画像表示装置１の外部周辺の人物（観察者）の人数や位置等を検出する。なお、画像処理部１９１および検出部１９２の詳細については、説明を後述する。
【００１８】
外部インタフェース１１３は、たとえば画像表示装置１に電子カメラやパーソナルコンピュータなどの外部機器を接続するＵＳＢインタフェースである。画像表示装置１は、外部インタフェース１１３を介して外部機器から画像ファイルなどを入力する。カードインタフェース１１４は、メモリカード２００が着脱可能なインタフェースである。カードインタフェース１１４は、制御回路１１１の制御に基づいて、画像ファイルをメモリカード２００に書き込んだり、メモリカード２００に記録されている画像ファイルを読み出すインタフェース回路である。メモリカード２００はコンパクトフラッシュ（登録商標）やＳＤカードなどの半導体メモリカードである。なお、上述した画像ファイルは、電子カメラにより撮影された画像に対応する画像データ、画像データに対応するサムネイルデータ等が記録されたデータ部と、画像の撮影が行われた日時等を示す情報（撮影日時情報）や撮影条件を示す情報、画像データの天地（上下）を示す情報等が記録された付加情報部とを有する。
【００１９】
画像メモリ１１２は、たとえばハードディスク等の不揮発性メモリである。画像メモリ１１２には、外部インタフェース１１３やカードインタフェース１１４を介して外部機器やメモリカード２００から入力した画像ファイルなどが記録されている。
【００２０】
タッチパネル１２１は、ユーザがスクリーン１２の表面を指で押圧することによって、画像表示装置１を操作するための操作信号を出力する。タッチパネル１２１は、画像投影部１３による画像の投影範囲上に格子状に区切られた微細な入力領域を有しており、ユーザがこのタッチパネル１２１上を指やタッチペンで押圧（タッチ操作、なぞり操作）すると押圧位置にある入力領域がオンされる。タッチパネル１２１は、オンされた入力領域のタッチパネル１２１上における位置を特定する情報、例えば座標値をタッチパネル１２１の操作信号として制御回路１１１へ出力する。本実施の形態においては、タッチパネル１２１は、ユーザによる後述する投影画像の切換えを指示する操作を受け付けて、操作信号を制御回路１１１へ出力する。
【００２１】
画像投影部１３は、投影レンズ１３１と、表示素子１３２と、ＬＥＤ光源１３３と、投影制御部１３４とを含む。投影制御部１３４は、制御回路１１１から出力される制御信号に応じて、画像投影部１３内の各部の駆動を制御する。ＬＥＤ光源１３３は、制御回路１１１からの制御信号に応じて投影制御部１３４により供給される電流に応じた明るさで、表示素子１３２を照明する。
【００２２】
表示素子１３２は、たとえば液晶パネル等により構成される。投影制御部１３４は、制御回路１１１の画像処理部１９１により生成された投影画像データに応じて表示素子１３２を駆動するための駆動信号を生成し、生成した駆動信号で表示素子１３２を駆動する。具体的には、表示素子１３２の液晶層に対して画像信号に応じた電圧が画素ごとに印加される。電圧が印加された液晶層は液晶分子の配列が変わり、当該液晶層の光の透過率が変化する。このように、画像信号に応じてＬＥＤ光源１３３からの光を変調することにより、表示素子１３２が光像を生成する。投影レンズ１３１は、たとえば投影角がほぼ１８０度の魚眼レンズであり、上述のようにして表示素子１３２で生成された光像をスクリーン２１の内壁面の全領域へ向けて投射する。
【００２３】
以下、画像表示装置１における動作について説明する。画像表示装置１は、まず画像表示装置１の周囲に存在する観察者の位置、人数を検出する（観察者検出処理）。そして、画像表示装置１は、スクリーン１２に画像メモリ１１２に記録された複数の画像ファイル内のサムネイルデータに対応する複数のサムネイル画像を、スクリーン１２の外周に沿って表示する（サムネイル画像表示処理）。観察者がスクリーン１２に表示されたサムネイル画像をタッチ操作すると、画像表示装置１はタッチ操作されたサムネイル画像に対応する画像データの画像をスクリーン１２に表示させる（画像表示処理）。このとき、画像表示装置１は、検出した観察者の位置、人数に基づいて画像を表示する位置、態様を異ならせる。また、画像表示装置１は、スクリーン１２に画像の表示に関する各種の操作を行うための操作インタフェースを画像に重畳して表示させる。以下、詳細に説明する。
【００２４】
観察者により、画像表示装置１のベース部材１１に設けられた不図示の電源オン／オフボタンによって電源オン操作がされると、制御回路１１１は画像撮影部１４に指令して撮像素子１４３により画像表示装置１の外部周辺を撮像させる。なお、制御回路１１１は、画像表示装置１が動作している間は、所定周期（たとえば１分）ごとに画像撮影部１４に指令して、画像表示装置１の外部周辺を撮像させる。
【００２５】
−観察者検出処理−
撮像素子１４３は画像表示装置１の周辺を撮像して画像信号を制御回路１１１へ出力する。制御回路１１１の画像処理部１９１は、入力したアナログの画像信号をデジタル画像信号に変換した後、種々の画像処理を施して画像データを生成する。上述したように、画像撮影部１４は、ＰＡＬレンズ１４１を用いて画像表示装置１の外部周辺を３６０度にわたって撮影する。このため、画像処理部１９１により生成された画像データに対応する画像は、図４（ａ）に示すように円環（リング）状に画像表示装置１の周囲を写し出す。なお、図４（ａ）に示す矢印Ｓは、図１で示した基準方位Ｓと同一方位を示す。また、図４（ａ）では、基準方位Ｓを基点として、画像の中心に対して反時計回りにｘ軸、基準方位Ｓに沿って画像の中心に向かってｙ軸を設定している。
【００２６】
画像処理部１９１は、円環上の画像に対応する画像データを変形して矩形状の画像に対応する画像データ（変形画像データ）を生成する。図４（ｂ）は、変形画像データに対応する変形画像を示す。変形画像データに対応する変形画像は、図４（ａ）の画像を基準方位Ｓの位置で分断し、図４（ａ）では円状で示されるｘ軸を直線状のＸ軸に変換したものである。この場合、画像処理部１９１は、画像データの座標（ｘ，ｙ）のデータを対応する座標（Ｘ，Ｙ）で示される位置に移動することにより変形画像データを生成する。なお、座標（ｘ，ｙ）と座標（Ｘ，Ｙ）との対応関係は、予め決定されており所定の記憶領域に格納されているものとする。上記の処理の結果、図４（ａ）の画像では画像表示装置１の周囲は歪んで撮影されるが、図４（ｂ）の変形画像では歪みが修正された画像となる。
【００２７】
検出部１９２は、上述のようにして生成された変形画像データに対して、電子カメラ等で用いられる公知の顔検出処理を適用して画像表示装置１の外部周辺の人物（観察者）の人数や位置等を検出する。なお、検出部１９２は、変形画像データに代えて変形処理が施されていない画像データを用いて顔検出処理を行ってもよい。この場合は、画像処理部１９１は変形画像データの生成を行わないので処理負荷が低減できる。なお、上述した変形処理および顔検出処理、すなわち観察者検出処理は、所定周期ごとに撮像素子１４３により画像表示装置１の周辺の撮像が行われ画像信号が制御回路１１１に入力されるごとに行われる。
【００２８】
−サムネイル画像表示処理−
制御回路１１１は、画像メモリ１１２に記録された画像ファイル内のサムネイル画像データを読出し、画像処理部１９１はサムネイル画像をスクリーン１２に表示するためのデータ、すなわち画像投影部１３に投影させるためのサムネイル投影画像データを生成する。図５にサムネイル投影画像データおよびサムネイル画像の表示の一例を示す。なお、図５において一点鎖線の矢印Ｓは、図１および図４で示した基準方位であることを示す。
【００２９】
図５（ａ）に示すように、画像処理部１９１は、基準方位Ｓを基点として、複数のサムネイル画像データがサムネイル投影画像データの中心に対して、たとえば反時計回りに円を描くように配列する。このとき、画像処理部１９１は、画像ファイルの付加情報部に記録された天地情報を参照して、各サムネイル画像データの「天（上部）」がサムネイル投影画像データの中心を向くように複数のサムネイル画像データを配列する。なお、画像処理部１９１は、たとえば撮影日時の新しい画像に対応するサムネイル画像データから、順次、基準方位Ｓを基点として配列する。この場合は、画像処理部１９１は、画像ファイルの付加情報部に記録されて撮影日時情報を参照する。図５（ａ）においては、撮影日時が新しい順にサムネイル画像データＰｓｄ１〜Ｐｓｄ６が反時計回りで配列された場合を示している。なお、サムネイル画像データは撮影日時が古い順に配列されるものであってもよい。
【００３０】
画像処理部１９１は、生成したサムネイル投影画像データを画像投影部１３の投影制御部１３４へ出力する。投影制御部１３４は、入力したサムネイル投影画像データに応じて表示素子１３２を駆動するための駆動信号を生成し、生成した駆動信号で表示素子１３２を駆動する。そして、画像投影部１３は、上述したようにして、サムネイル投影画像データに対応する光像をスクリーン１２に向けて投射する。その結果、図５（ｂ）に示すように、複数のサムネイル画像が、スクリーン１２の外周に沿って表示される。図５（ｂ）において示すサムネイル画像Ｐｓ１〜Ｐｓ４は、図５（ａ）のサムネイル画像データＰｓｄ１〜Ｐｓｄ４にそれぞれ対応するものである。したがって、図５（ｂ）においても、サムネイル画像Ｐｓ１〜Ｐｓ４が撮影日時の新しい順に反時計回りで配列されている。なお、図５（ｂ）においては、ベース部材１１と画像撮影部１４を省略して示している。
【００３１】
−画像表示処理−
以下、顔検出処理により検出された人物、すなわち観察者の数が、（１）１人の場合、（２）複数の場合に分けて説明する。
（１）観察者が１人の場合
図６は、観察者が１人の場合に画像撮影部１４により撮影される画像およびその変形画像の一例を示す。図６（ａ）に示すように点ｇ１（ｘ_ｇ１，ｙ_ｇ１）に観察者が存在する場合、図６（ｂ）に示す変形画像上においては、点ｇ１に対応する点Ｇ１（Ｘ_Ｇ１，Ｙ_Ｇ１）に観察者が存在することになる。すなわち、検出部１９２は、変形画像データ上の座標Ｇ１（Ｘ_Ｇ１，Ｙ_Ｇ１）に観察者を検出する。この観察者が、図５（ｂ）に示すように表示された複数のサムネイル画像のうち、サムネイル画像Ｐｓ２をタッチ操作したものとして以下の説明を行う。
【００３２】
タッチパネル１２から操作信号を入力すると、制御回路１１１は操作信号が示すタッチパネル１２上の座標値をサムネイル投影画像データ上における座標値に変換する。なお、タッチパネル１２上の座標値とサムネイル投影画像データおよび後述する投影画像データ上の座標値との対応関係を示すデータは、予め所定の記憶領域に格納され、制御回路１１１はこの対応関係を示すデータを用いて座標値の変換を行う。そして、制御回路１１１は、変換した座標位置に配列されたサムネイル画像データＰｓｄ２に対応する画像データＰｄ２を読み出す。画像データＰｄ２が読み出されると、画像処理部１９１は、画像データＰｄ２の中心座標（Ｘ’_ｃ，Ｙ’_ｃ）と、変形画像データ上で観察者が検出された座標Ｇ１（Ｘ_Ｇ１，Ｙ_Ｇ１）とが一致するように投影画像データを生成する。
【００３３】
まず、画像処理部１９１は、変形画像データ上の座標Ｇ１（Ｘ_Ｇ１，Ｙ_Ｇ１）を投影画像データ上の対応する座標（Ｘ”_Ｇ１，Ｙ”_Ｇ１）に変換する。なお、変形画像データ上の座標値と投影画像データ上の座標値との対応関係を示すデータは、予め所定の記憶領域に格納され、画像処理部１９１はこの対応関係を示すデータを用いて座標の変換を行う。
【００３４】
次に、画像処理部１９１は、画像データＰｄ２の各座標（Ｘ’，Ｙ’）を投影画像データ上の座標（Ｘ”，Ｙ”）に変換する。なお、画像データ上の座標値と投影画像データ上の座標値との対応関係を示すデータは、予め所定の記憶領域に格納され、画像処理部１９１はこの対応関係を示すデータを用いて座標の変換を行う。そして、画像処理部１９１は、画像データＰｄ２の中心座標（Ｘ’_ｃ，Ｙ’_ｃ）が変換された投影画像データ上の座標（Ｘ”_ｃ，Ｙ”_ｃ）のデータを座標（Ｘ”_Ｇ１，Ｙ”_Ｇ１）、すなわち観察者が検出された位置に移動する。さらに、画像処理部１９１は、画像データＰｄ２の変換後の中心座標（Ｘ”_ｃ，Ｙ”_ｃ）とデータを投影画像データ上の座標（Ｘ”_Ｇ１，Ｙ”_Ｇ１）との差分Δ１を算出する。画像処理部１９１は、画像データＰｄ２の変換後の各座標におけるデータを算出された差分Δ１だけ移動させることにより投影画像データを生成する。
【００３５】
投影画像データが生成されると、画像処理部１９１は、サムネイル画像を表示する場合と同様に、投影画像データを画像投影部１３の投影制御部１３４へ出力する。投影制御部１３４は、入力した投影画像データに応じて表示素子１３２を駆動するための駆動信号を生成し、生成した駆動信号で表示素子１３２を駆動する。そして、画像投影部１３は、投影画像データに対応する光像をスクリーン１２に向けて投射する。その結果、図７（ａ）に示すように、画像データＰｄ２に対応する画像の中心（表示中心ＤＣ）と、スクリーン１２上の観察者と対向する位置とがほぼ一致するように画像が表示される。なお、図７（ａ）に示す二点鎖線の矢印Ｌは観察者の視線を示し、図７（ａ）は視線Ｌの先端と表示中心ＤＣとがほぼ一致していることを示す。換言すると、観察者の視線Ｌの先端が表示される画像の中心となるようにスクリーン１２上に画像が表示されることになる。また、図７（ａ）においては、ベース部材１１と画像撮影部１４を省略して示している。
【００３６】
図７（ａ）に示すようにスクリーン１２に画像が表示されているときに、観察者によりスクリーン１２上のタッチパネル１２１がタッチ操作されると、図７（ｂ）に示すように画像表示装置１はスクリーン１２に表示中の画像に重畳して操作インタフェース１２２を表示する。操作インタフェース１２２は、たとえば図７（ｂ）に示すように、スクリーン１２の外周に沿って一周する円環（リング）状となるように表示される。さらに、画像表示装置１は、スクリーン１２に表示中の画像（図７（ａ）では画像データＰｄ２に対応する画像）の撮影日および撮影時刻をファイル情報１２３として操作インタフェース１２２の近傍に表示する。以下、詳細に説明する。
【００３７】
観察者のスクリーン１２のタッチ操作に応じてタッチパネル１２１から操作信号が出力されると、制御回路１１１は操作信号が示すタッチパネル１２上の操作座標値を、対応関係を示すデータを用いて、投影画像データ上における座標値に変換する。そして、画像処理部１９１は、変換後の操作座標値を通過し、表示中の画像に対応する投影画像データの中心座標を軸とした円形の操作インタフェース用データを作成する。さらに、画像処理部１９１は、画像データＰｄ２の画像ファイルから撮影日時情報を読出し、ファイル情報用データを作成する。
【００３８】
画像処理部１９１は、作成した操作インタフェース用データとファイル情報用データとを、表示中の画像に対応する投影画像データに重畳させて新たな投影画像データを生成する。なお、画像処理部１９１は、ファイル情報用データを操作インタフェース用データの近傍であって、かつ、観察者の位置が検出された位置に対応する座標（Ｘ”_Ｇ１，Ｙ”_Ｇ１）の近傍となる投影画像データ上の位置に配置する。新たな投影画像データが生成されると、制御回路１１１は、上述した場合と同様にして画像投影部１３により新たな投影画像データに対応する光像をスクリーン１２に向けて投射させる。
【００３９】
上述したようにして表示された操作インタフェース１２２による操作内容について説明する。操作インタフェース１２２は、観察者が表示中の画像をコマ送り、またはコマ戻しする場合に操作される。図７（ｂ）に示す状態から操作インタフェース１２２を半球面体のスクリーン１２の上部、すなわち頂部に向けて観察者がこすり操作（タッチパネル１２１を押圧したまま移動させる操作）を行うと、画像の撮影日に応じたコマ戻し操作となる。この場合、図７（ｃ）に示すように、こすり操作に応じて円形の操作インタフェース１２２がスクリーン１２の頂部に向かって移動する。さらに、スクリーン１２には、ファイル情報１２３で示される内容が、現在表示中の画像の撮影日よりも新しい撮影日に更新されて表示される。こすり操作による操作量が大きい程、ファイル情報１２３が示す内容はより新しい撮影日となるように撮影日が更新されて表示される。そして、ファイル情報１２３によって示される撮影日が所望する撮影日となったときに観察者がタッチパネル１２１をタッチ操作すると、当該撮影日に撮影された画像がスクリーン１２に表示される。
【００４０】
操作インタフェース１２２を半球面体のスクリーン１２の下部、すなわち底辺に向けて観察者がこすり操作を行うと、画像の撮影日に応じたコマ送りし操作となる。この場合、こすり操作に応じて円形の操作インタフェース１２２がスクリーン１２の底辺に向かって移動し、ファイル情報１２３で示される内容が、現在表示中の画像の撮影日よりも古い撮影日に更新されて表示される。そして、ファイル情報１２３によって示される撮影日が所望する撮影日となったときに観察者がタッチパネル１２１をタッチ操作すると、当該撮影日に撮影された画像がスクリーン１２に表示される。
【００４１】
図７（ｂ）に示す状態から操作インタフェース１２２を半球面体のスクリーン１２の上で、横方向、すなわちスクリーン１２の底辺にほぼ平行な方向に時計回りに観察者がこすり操作を行うと、画像の撮影時刻に応じたコマ戻し操作となる。この場合、こすり操作が行われても円形の操作インタフェース１２２のスクリーン１２での位置は変更がないまま、ファイル情報１２３で示される内容が、現在表示中の画像の撮影時刻よりも新しい撮影時刻に更新されて表示される。そして、ファイル情報１２３によって示される撮影時刻が所望する撮影時刻となったときに観察者がタッチパネル１２１をタッチ操作すると、当該撮影時刻に撮影された画像がスクリーン１２に表示される。
【００４２】
図７（ｂ）に示す状態から操作インタフェース１２２を半球面体のスクリーン１２の上で、横方向、すなわちスクリーン１２の底辺にほぼ平行な方向に反時計回りに観察者がこすり操作を行うと、画像の撮影時刻に応じたコマ送り操作となる。この場合、こすり操作が行われても円形の操作インタフェース１２２のスクリーン１２での位置は変更がないまま、ファイル情報１２３で示される内容が、現在表示中の画像の撮影時刻よりも古い撮影時刻に更新されて表示される。そして、ファイル情報１２３によって示される撮影時刻が所望する撮影時刻となったときに観察者がタッチパネル１２１をタッチ操作すると、当該撮影時刻に撮影された画像がスクリーン１２に表示される。
【００４３】
上述したようにして操作インタフェース１２２が観察者によって操作された場合の、制御回路１１１における処理について説明する。
タッチパネル１２１から操作信号が出力されると、制御回路１１１は操作信号が示すタッチパネル１２上の操作座標値を、対応関係を示すデータを用いて、投影画像データ上における座標値に変換する。そして、画像処理部１９１は、変換後の操作座標値を通過し、表示中の画像に対応する投影画像データの中心座標を軸とした円形の操作インタフェース用データを作成する。
【００４４】
制御回路１１１は、画像メモリ１１２内の画像ファイルに記録された撮影日時情報を参照して、表示中の画像の撮影日よりも新しい撮影日に対応する撮影日時情報を読み出す。そして、画像処理部１９１は、読み出された新たな撮影日時情報に含まれる撮影日または撮影時刻の情報に基づいて新たなファイル情報用データを作成し、現在表示中の画像（図７（ｂ））に対応する投影画像データに含まれるファイル情報用データを、新たな情報用データに置き換えて新たな投影画像データを生成する。新たな投影画像データが生成されると、制御回路１１１は、上述した場合と同様にして画像投影部１３により新たな投影画像データに対応する光像をスクリーン１２に向けて投射させる。その結果、図７（ｃ）に示すように操作インタフェース１２２とファイル情報１２３とがスクリーン１２に表示される。
【００４５】
（２）観察者が複数の場合
複数の観察者が存在する場合の説明として、上述した観察者検出処理により観察者の人数が２人であることが検出された場合を例として説明する。この場合、画像表示装置１は、検出された２人の観察者の位置に応じて画像表示の形態を異ならせる。図８（ａ）に示すように２人の観察者が隣り合うようにしてスクリーン１２を観察している場合には、画像表示装置１は隣接し合う２人の観察者が共に同一の画像を観察可能となるように、スクリーン１２上に画像を表示する。図９（ａ）に示すように２人の観察者が離れて（対向して）スクリーン１２を観察している場合には、画像表示装置１は２人の観察者のそれぞれが画像を観察可能となるように、スクリーン１２上に画像を表示する。以下、観察者が隣接する場合と、観察者が離れている場合とに分けて説明する。なお、図８（ａ）、図９（ａ）においては、ベース部材１１と画像撮影部１４を省略して示している。
【００４６】
−観察者が隣接する場合−
図８（ｂ）および図８（ｃ）は、図８（ａ）に示すように２人の観察者が存在している場合に画像撮影部１４により撮影される画像およびその変形画像を示す。図８（ｂ）に示すように点ｇ１（ｘ_ｇ１，ｙ_ｇ１）、点ｇ２（ｘ_ｇ２，ｙ_ｇ２）に観察者が存在する場合、図８（ｂ）に示す変形画像上においては、点ｇ１に対応する点Ｇ１（Ｘ_Ｇ１，Ｙ_Ｇ１）および点ｇ２に対応する点Ｇ２（Ｘ_Ｇ２，Ｙ_Ｇ２）に観察者が存在することになる。すなわち、検出部１９２は、変形画像データ上の座標Ｇ１（Ｘ_Ｇ１，Ｙ_Ｇ１）および座標Ｇ２（Ｘ_Ｇ２，Ｙ_Ｇ２）に観察者を検出する。
【００４７】
検出部１９２は、座標Ｇ１およびＧ２に観察者を検出すると、座標Ｇ１（Ｘ_Ｇ１，Ｙ_Ｇ１）と座標Ｇ２（Ｘ_Ｇ２，Ｙ_Ｇ２）との差分Δ２値を算出する。そして、検出部１９２は、算出した差分値Δ２が所定の閾値ｔｈ未満の場合に、検出した２人の観察者が隣接していると判定する。なお、閾値ｔｈはスクリーン１２の半球体の中心を基準として、２人の観察者がなす角度に対応した値であり、２人の観察者のなす角度が６０度〜１２０度の範囲、たとえば９０度に対応する値である。
【００４８】
検出部１９２は、２人の観察者が隣接していると判定した場合、それぞれの観察者の位置に対応する座標Ｇ１（Ｘ_Ｇ１，Ｙ_Ｇ１）および座標Ｇ２（Ｘ_Ｇ２，Ｙ_Ｇ２）の中点の座標Ｇｃ（Ｘ_Ｇｃ，Ｙ_Ｇｃ）を算出する。検出部１９２により座標Ｇｃ（Ｘ_Ｇｃ，Ｙ_Ｇｃ）が算出されると、画像処理部１９１はスクリーン１２上で２人の観察者の中点に対応する位置を中心として画像を表示するための処理を行う。
【００４９】
画像処理部１９１は、変形画像データ上の座標Ｇｃ（Ｘ_Ｇｃ，Ｙ_Ｇｃ）を投影画像データ上の対応する座標（Ｘ”_Ｇｃ，Ｙ”_Ｇｃ）に変換する。なお、画像処理部１９１は、上述したように、予め記憶されている変形画像データ上の座標値と投影画像データ上の座標値との対応関係を示すデータを用いて座標の変換を行う。そして、画像処理部１９１は、画像データの各座標（Ｘ’，Ｙ’）を投影画像データ上の座標（Ｘ”，Ｙ”）に変換し、画像データの中心の変換後の座標（Ｘ”_ｃ，Ｙ”_ｃ）のデータを座標（Ｘ”_Ｇｃ，Ｙ”_Ｇｃ）、すなわち２人の観察者の中点の位置に移動する。以後、画像処理部１９１は、上述した１人の観察者が検出された場合の処理と同様の処理を行って投影画像データを生成し、制御回路１１１はこの生成された投影画像データを画像投影部１３により投影させる。その結果、図８（ａ）に示すようにスクリーン１２上に画像が表示される。
【００５０】
−観察者が離れている場合−
図９（ｂ）および図９（ｃ）は、図９（ａ）に示すように２人の観察者が存在している場合に画像撮影部１４により撮影される画像およびその変形画像を示す。図９（ｂ）に示すように点ｇ３（ｘ_ｇ３，ｙ_ｇ３）、点ｇ４（ｘ_ｇ４，ｙ_ｇ４）に観察者が存在する場合、図９（ｂ）に示す変形画像上においては、点ｇ３に対応する点Ｇ３（Ｘ_Ｇ３，Ｙ_Ｇ３）および点ｇ４に対応する点Ｇ４（Ｘ_Ｇ４，Ｙ_Ｇ４）に観察者が存在することになる。すなわち、検出部１９２は、変形画像データ上の座標Ｇ３（Ｘ_Ｇ３，Ｙ_Ｇ３）および座標Ｇ４（Ｘ_Ｇ４，Ｙ_Ｇ４）に観察者を検出する。なお、以下の説明では、座標Ｇ３に対応する位置の観察者を符号Ｍ１、座標Ｇ４に対応する位置の観察者を符号Ｍ２で表す。
【００５１】
検出部１９２は、座標Ｇ３およびＧ４に観察者を検出すると、上述したように、座標Ｇ３（Ｘ_Ｇ３，Ｙ_Ｇ３）と座標Ｇ４（Ｘ_Ｇ４，Ｙ_Ｇ４）との差分Δ２値を算出する。そして、検出部１９２は、算出した差分値Δ２が所定の閾値ｔｈ以上の場合に、２人の観察者Ｍ１，Ｍ２が隣接していると判定する。図９においては、２人の観察者Ｍ１，Ｍ２のなす角度が１８０度の場合、すなわち２人の観察者Ｍ１，Ｍ２が互いに対向している場合を示している。
【００５２】
観察者Ｍ１，Ｍ２が離れて存在することが検出されると、制御回路１１１は観察者Ｍ１用にスクリーン１２上で画像を表示するための分割表示領域Ｒ１と、観察者Ｍ２用にスクリーン１２上で画像を表示するための分割表示領域Ｒ２とを設定する処理を行う（領域設定処理）。すなわち、図１０（ａ）に示すスクリーン１２の上部平面図に示すように、制御回路１１１は、スクリーン１２上の全表示領域を、観察者Ｍ１と観察者Ｍ２との中間に対応する位置で２つの分割表示領域Ｒ１，Ｒ２に分割する。すなわち、制御回路１１１は、スクリーン１２の頂点を通って、スクリーン１２の底辺の２つの中間位置ｘｍ１、ｘｍ２を結ぶ直線でスクリーン１２の全体の表示領域を２つに分割する。そして、制御回路１１１は、分割表示領域Ｒ１と分割表示領域Ｒ２とにそれぞれ画像を表示させる。以下、領域設定処理について詳細に説明する。
【００５３】
検出部１９２は、観察者Ｍ１，Ｍ２の中間位置を算出するため、座標Ｇ３（Ｘ_Ｇ３，Ｙ_Ｇ３）と座標Ｇ４（Ｘ_Ｇ４，Ｙ_Ｇ４）のＸ軸方向の差分Δ３（＝｜Ｘ_Ｇ３−Ｘ_Ｇ４｜）を算出し、算出した差分Δ３を１／２にすることにより変位量Δ４（＝Δ３／２）を算出する。そして、検出部１９２は、中間位置ｘｍ１に対応する変形画像データ上の中間位置ＸＭ１のＸ座標（Ｘ_Ｍ１）を座標Ｇ３のＸの値（Ｘ_Ｇ３）に差分Δ３を加算することにより算出する。同様に、検出部１９２は、中間位置ｘｍ２に対応する変形画像データ上の中間位置ＸＭ２のＸ座標（Ｘ_Ｍ２）を座標Ｇ４のＸの値（Ｘ_Ｇ４）に差分Δ３を加算することにより算出する。なお、中間位置ＸＭ１またはＸＭ２のＸ座標が変形画像データのＸ軸方向の最大値（Ｘ_ＭＡＸ）を超える場合には、検出部１９２は、算出した中間位置ＸＭ１またはＸＭ２のＸ座標（Ｘ_Ｍ１またはＸ_Ｍ２）から最大値（Ｘ_ＭＡＸ）を引いた値を中間位置のＸ座標とする。
【００５４】
画像処理部１９１は、変形画像データ上の中間位置ＸＭ１およびＸＭ２の座標（Ｘ_Ｍ１，０）、（Ｘ_Ｍ２，０）を投影画像データ上の対応する座標（Ｘ”_Ｍ１，Ｙ”_Ｍ１）および（Ｘ”_Ｍ２，Ｙ”_Ｍ２）に変換する。なお、画像処理部１９１は、上述したように、予め記憶されている変形画像データ上の座標値と投影画像データ上の座標値との対応関係を示すデータを用いて座標の変換を行う。
【００５５】
座標の変換が行われると、画像処理部１９１は、座標（Ｘ”_Ｍ１，Ｙ”_Ｍ１）、投影画像データの中心座標および（Ｘ”_Ｍ２，Ｙ”_Ｍ２）を通過する線分で投影画像データを２つのデータ領域ＲＤ１、ＲＤ２に分割する。さらに、画像処理部１９１は、変形画像データ上の座標Ｇ３（Ｘ_Ｇ３，Ｙ_Ｇ３）と座標Ｇ４（Ｘ_Ｇ４，Ｙ_Ｇ４）を投影画像データ上の対応する座標（Ｘ”_Ｇ３，Ｙ”_Ｇ３）と座標（Ｘ”_Ｇ４，Ｙ”_Ｇ４）とにそれぞれ変換する。上記の処理の結果、図１０（ｂ）に示すように投影画像データ上で分割表示領域Ｒ１に対応するデータ領域ＲＤ１と、分割表示領域Ｒ２に対応するデータ領域ＲＤ２と、観察者Ｍ１に対応する座標と、観察者Ｍ１に対応する座標とが確定される。
【００５６】
領域設定処理が終了すると、画像処理部１９１は、画像データの各座標（Ｘ’，Ｙ’）を投影画像データ上の座標（Ｘ”，Ｙ”）に変換し、画像データの中心の変換後の座標（Ｘ”_ｃ，Ｙ”_ｃ）のデータを座標（Ｘ”_Ｇ３，Ｙ”_Ｇ３）に移動する。さらに、画像処理部１９１は、画像データの変換後の各座標をデータ領域Ｒ１の内部に収まるように移動する。また、画像処理部１９１は、画像データの中心の変換後の座標（Ｘ”_ｃ，Ｙ”_ｃ）のデータを座標（Ｘ”_Ｇ４，Ｙ”_Ｇ４）に移動する。さらに、画像処理部１９１は、画像データの変換後の各座標をデータ領域Ｒ２の内部に収まるように移動する。制御装置１１は、上記のようにして生成した投影画像データを画像投影部１３により投影させる。その結果、図１０（ｃ）に示すようにスクリーン１２上に画像が表示される。すなわち、観察者Ｍ１に対向するスクリーン１２上の位置を中心とした画像と、観察者Ｍ２に対向するスクリーン１２上の位置を中心とした画像とが表示される。なお、図１０（ａ）においては、ベース部材１１と画像撮影部１４を省略して示している。
【００５７】
なお、操作インタフェース１２２およびファイル情報１２３をスクリーン１２に表示する場合は、画像処理部１９１は、データ領域ＲＤ１内に観察者Ｍ１のタッチ操作に応じた操作インタフェース用データとファイル情報用データとを作成する。また、画像処理部１９１は、データ領域ＲＤ２内に観察者Ｍ２のタッチ操作に応じた操作インタフェース用データとファイル情報用データとを作成する。その結果、図１０（ｃ）に示すように、分割表示領域Ｒ１と分割表示領域Ｒ２とにおいて、観察者Ｍ１およびＭ２の操作に応じた異なる操作インタフェース１２２Ａ、１２２Ｂと、ファイル情報１２３Ａ、１２３Ｂとが表示される。
【００５８】
上記の説明では、観察者が２人の場合を例としたが、観察者が３人以上の場合であっても画像表示装置１は同様の処理を行う。図１１を参照して観察者が３人の場合について説明する。図１１（ａ）は、３人の観察者がそれぞれ離れている場合のスクリーン１２の上部平面図である。この場合は、制御回路１１１は、上述した２人の観察者が離れている場合の処理と同様の処理を行って、スクリーン１２に分割表示領域Ｒ１、Ｒ２、Ｒ３を設定する。そして、制御回路１１１それぞれの分割表示領域Ｒ１〜Ｒ３に画像を表示させる。
【００５９】
図１１（ｂ）は、３人の観察者の全員が隣接している場合のスクリーン１２の上部平面図である。すなわち、３人の観察者がスクリーン１２の中心を基点とした６０度〜１２０度の範囲に存在する場合の図である。この場合、制御回路１１１は、上述した２人の観察者が隣接している場合の処理と同様の処理を行って、３人の観察者の中心位置を基準としてスクリーン１２に画像を表示させる。
【００６０】
図１１（ｃ）は、３人の観察者のうち２人の観察者Ｍ３，Ｍ４が隣接し、残りの１人の観察者Ｍ５は、他の２人の観察者Ｍ３，Ｍ４とは離れた位置に存在する場合のスクリーン１２の上部平面図である。すなわち、観察者Ｍ３とＭ４とのなす角は６０度〜１２０度の範囲内であり、観察者Ｍ５と観察者Ｍ３のなす角および観察者Ｍ５と観察者Ｍ４とのなす角は上記の６０度〜１２０度の範囲外の場合である。この場合、制御回路１１１は、観察者Ｍ５に対向する位置を基準とした分割表示領域Ｒ１と、観察者Ｍ３，Ｍ４の中点を基準とした分割表示領域Ｒ２とを設定する。そして、制御回路１１１それぞれの分割表示領域Ｒ１，Ｒ２に画像を表示させる。
【００６１】
上述したように画像撮影部１４は、所定周期ごとに周囲の撮影を行い、画像信号を出力する。そして、制御回路１１１は、画像信号を入力するごとに観察者検出処理を行っている。したがって、制御回路１１１は、所定周期ごとに行った観察者検出処理の結果により、前回の観察者検出処理の時点から観察者が移動している場合は、新たに観察者を検出した位置に応じて画像表示処理を行う。すなわち、制御回路１１１は、観察者の移動に応じて画像の表示中心を移動させる。また、制御回路１１１は、前回の観察者検出処理の時点から観察者の人数に変動（増減）がある場合には、新たに検出した観察者の人数に応じて領域設定処理および画像表示処理を行う。すなわち、制御回路１１１は、観察者の人数の増減に応じて、分割表示領域の個数を増減させる。
【００６２】
以上で説明した実施の形態による画像表示装置１によれば、以下の作用効果が得られる。
（１）画像投影部１３は、半球状に形成されたスクリーン１２の外周から観察可能となるように投射画像をスクリーン１２に投射する。検出部１９２は、画像撮影部１４の撮像素子１４３から出力された画像信号に基づいて、スクリーン１２の外部から画像表示装置１を観察する観察者を検出する。そして、制御回路１１１の画像処理部１９１は、検出部１９２による観察者の検出結果に基づいて、画像投影部１３により投射される投影画像データを生成し、制御回路１１１は画像投影部１３を制御して投影画像データに対応する画像を投影させるようにした。すなわち、検出部１９２は、スクリーン１２の外周に存在する前記観察者の位置を検出し、画像処理部１９１は、検出部１９２により検出された観察者の位置に応じて投影画像データを生成し、制御回路１１１は画像投影部１３を制御して投影画像データに対応する画像を投影させることにより、スクリーン１２に表示される画像の位置を制御するようにした。すなわち、観察者の位置に応じてスクリーン１２上に表示される画像の位置が変更されるので、観察者は画像表示装置１に対して任意の位置から観察しても、観察者に対向する位置を中心とした画像を観察できる。その結果、観察者は画像表示の基準位置に合わせて画像表示装置１を観察する位置を移動する必要がなくなるので、画像を観察する位置の選択自由度が向上し利便性が向上する。
【００６３】
（２）検出部１９２は、スクリーン１２の外周に存在する観察者の人数を検出するようにした。そして、画像処理部１９１は、検出部１９２により複数の観察者が検出された場合には、制御回路１１１は、観察者の人数に応じた分割表示領域ごとに画像が表示されるように、画像投影部１３を制御するようにした。したがって、図８〜図１１に示すように、複数の観察者が画像表示装置１を観察している場合であっても、スクリーン１２上のそれぞれの観察者に対向する位置に画像が表示されるので、画像を観察する位置の選択自由度が向上する。
【００６４】
さらに加えて、検出部１９２は、複数の観察者が検出された場合に、複数の観察者のそれぞれの相対位置を検出する。観察者の相対位置が離れている場合には、制御回路１１１は、観察者のそれぞれに対向する分割表示領域ごとに画像が表示されるように、画像投影部１３を制御する。観察者の相対位置が近い場合には、制御回路１１１は、検出されたすべてのすべての観察者に対向する位置を中心として画像が表示されるように画像投影部１３を制御するようにした。したがって、観察者が単独で画像を観察する場合や他の大勢とともに画像を観察する場合であっても、スクリーン１２上の観察者に対向する位置を中心に画像が観察可能に表示されるので、観察者は自由に画像を観察する位置を選択できる。
【００６５】
以上で説明した実施の形態による画像表示装置１を、次のように変形できる。
【００６６】
（１）画像撮影部１４から入力された画像信号に基づいて観察者の位置や人数を検出するものに代えて、観察者によるタッチパネル１２１のタッチ操作により観察者の位置や人数を検出してもよい。この場合、検出部１９２は、タッチパネル１２１から入力した操作信号によって示される座標値に基づいて観察者の位置を検出する。また、検出部１９２は、所定のタイミングでタッチパネル１２１から入力した操作信号の入力回数により観察者の人数を検出する。
【００６７】
もしくは、画像撮影部１４に代えて、たとえば赤外線センサを用いてもよい。この場合、検出部１９２は、赤外線センサからの検出信号を用いて、画像表示装置１に対する観察者の相対方位等を検出することにより観察者の位置と人数とを検出すればよい。
【００６８】
（２）複数の観察者が離れた位置にいる場合に、スクリーン１２上に分割表示領域を設定するか否かを観察者により選択可能としてもよい。この場合、たとえばベース部材１１上に設定ボタンを設ける。そして、観察者により設定ボタンが操作されオン設定がなされた場合には、画像表示装置１はスクリーン１２上に分割表示領域を設定する。観察者により設定ボタンが操作されてオフ設定がなされた場合には、複数の観察者が離れた位置に存在することが検出された場合であっても、画像表示装置１はスクリーン１２上に分割表示領域を設定しない。
【００６９】
（３）サムネイル画像を表示する際には、画像処理部１９１は、観察者検出処理によって検出された観察者の位置を基点として複数のサムネイル画像を配列するようにしてもよい。複数の観察者が検出されスクリーン１２上に分割表示領域が設定される場合には、画像処理部１９１は各分割表示領域ごとに複数のサムネイル画像を配列すればよい。
【００７０】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【符号の説明】
【００７１】
１  画像表示装置、  １２  スクリーン、
１３  画像投影部、  １４  画像撮影部、
１１１  制御回路、  １２１  タッチパネル、
１４１  ＰＡＬレンズ、  １４３  撮像素子、
１９１  画像処理部、  １９２  検出部
【図１】
2012123252.tif 000003
【図２】
2012123252.tif 000004
【図３】
2012123252.tif 000005
【図４】
2012123252.tif 000006
【図５】
2012123252.tif 000007
【図６】
2012123252.tif 000008
【図７】
2012123252.tif 000009
【図８】
2012123252.tif 000010
【図９】
2012123252.tif 000011
【図１０】
2012123252.tif 000012
【図１１】
2012123252.tif 000013